(57)【特許請求の範囲】
【請求項１】
コネクタ（４０）と落込み防止台（６０）とを備える落込み防止装置であって、
前記コネクタ（４０）は、
前記落込み防止台（６０）の横断面に対応し、コネクタ（４０）を回転可能に前記落込み防止台（６０）に嵌め込むための第１孔（４２）と、
ねじ（１０）を回転可能にコネクタ（４０）に嵌め込むための少なくとも一つの第２孔（４４）と、
両端がそれぞれ第１孔（４２）と第２孔（４４）に接続される少なくとも一つの接続部（４６）と、を備え、
前記落込み防止台（６０）は、一端が機器（７０）に固定されていて、前記コネクタ（４０）を機器（７０）に固定し、
軸カバー（２０）は、前記第２孔（４４）を介して前記コネクタ（４０）に嵌め込められていて、前記ねじ（１０）の外周面に固定され、前記機器（７０）に接近する一端の外半径が前記第２孔（４４）の半径より大きい落込み防止装置。
【請求項２】
前記落込み防止台（６０）が、前記機器（７０）と一体成形される請求項１に記載の落込み防止装置。
【請求項３】
前記落込み防止台（６０）の前記機器（７０）から離れる一端に固定されていて、半径が前記第１孔（４２）の半径より大きい環状凸部が設けれる固定部品（５０）を更に備える請求項１に記載の装置。
【請求項４】
前記接続部（４６）が、円弧状をなす請求項１に記載の装置。
【請求項５】
前記第１孔（４２）が腰状の孔であって、及び/又は、前記第２孔（４４）が腰状の孔である請求項１に記載の装置。
【請求項６】
前記軸カバー（２０）の前記機器（７０）から離れる一端の外半径が前記第２孔（４４）の半径より大きい請求項１に記載の装置。
【請求項７】
前記軸カバー（２０）の内壁にねじ山が設けられていて、前記軸カバー（２０）がねじ山を介して前記ねじ（１０）のねじ山のない箇所まで回転して固定される請求項１又は６に記載の装置。
【請求項８】
軸カバー（２０）をねじ（１０）のねじ山のない箇所にカバーした後、前記ねじ（１０）のねじ山を加工することで、前記軸カバー（２０）を前記ねじ（１０）のねじ山のない箇所に固定する請求項１又は６に記載の装置。
【請求項９】
前記軸カバー（２０）が前記第２孔（４４）において前記ねじ（１０）を覆って前記ねじ（１０）の外周面に固定される請求項１又は６に記載の装置。
【請求項１０】
落込み防止台（６０）の横断面に対応し、コネクタ（４０）を機器（７０）に固定された前記落込み防止台（６０）に回転可能に嵌め込むための第１孔（４２）と、
ねじ（１０）を回転可能に嵌め込むための少なくとも一つの第２孔（４４）と、
両端がそれぞれ前記第１孔（４２）と前記第２孔（４４）に接続される少なくとも一つの接続部（４６）と、
前記第２孔（４４）を介して前記コネクタ（４０）に嵌め込められていて、前記ねじ（１０）の外周面に固定され、前記機器（７０）に接近する一端の外半径が前記第２孔（４４）の半径より大きい軸カバー（２０）と、を備えるコネクタ（４０）。
【発明の詳細な説明】
【技術分野】
【０００１】
本考案は、取付け分野に関し、具体的に、落込み防止装置及びコネクタに関する。
【背景技術】
【０００２】
ねじは標準規格の部品として異なる部品間の接続を簡単、高速且つ確実に実現できるので、現在、各分野のブロック、機器の締め付けや装着にねじ等の締め具が大量に使用されている。部品の装着順の制限を受けて、多くの部品の装着を高空で行わなければならないので、ねじを使用する際又は装着完了後に落込みを防止しなければならない。それは、ねじが落込んで人を傷つけることを防止し、又は落込んだ後に探しにくく、再び高空作業を行って装着しなければならないからである。
【０００３】
ねじの落込み防止方案として、弾性部品をねじ間に覆う方案が開示されている一方、弾性部品を用いてねじと独立した落込み防止部品とを覆って、当該独立した落込み防止部品によって落込み防止機能を実現する方案も開示されている。これらの形態には、ねじを装着し締め付ける際に弾性部品が回転し、弾性部品が直接湾曲してしまい、落込み防止部品を単独にデザインしなければならなく、落込み防止部品と弾性部品との間が固くしまったり又は締めすぎてしまう状況が発生し、最終的に操作が不便又は失効になってしまう問題が存在する。
関連技術における落込み防止方案の操作が不便である問題について、未だに有効な解決案を提示していない。
【発明の概要】
【発明が解決しようとする課題】
【０００４】
本考案の実施例は、関連技術における落込み防止方案の操作が不便である問題に鑑み、少なくとも一つの問題を解決できる落込み防止装置及びコネクタを提供することをその目的とする。
【課題を解決するための手段】
【０００５】
本考案の実施例の一方面によると、コネクタ４０と落込み防止台６０とを備え、前記コネクタ４０は、前記落込み防止台６０の横断面に対応し、コネクタ４０を回転可能に前記落込み防止台６０に嵌め込むための第１孔４２と、ねじ１０を回転可能にコネクタ４０中に嵌め込むための少なくとも一つの第２孔４４と、両端がそれぞれ第１孔４２と第２孔４４に接続される少なくとも一つの接続部４６と、を備え、前記落込み防止台６０は、一端が機器７０に固定されていて、前記コネクタ４０を機器７０に固定する落込み防止装置を提供する。
【０００６】
前記落込み防止台６０が、前記機器７０と一体成形されることが好ましい。
【０００７】
前記落込み防止台６０の前記機器７０から離れる一端に固定されていて、半径が前記第１孔４２の半径より大きい環状凸部が設けれる固定部品５０を更に備えることが好ましい。
【０００８】
前記接続部４６が、円弧状をなすことが好ましい。
【０００９】
前記第１孔４２は、腰状の孔であって、及び／又は、前記第２孔４４が腰状の孔であることが好ましい。
【００１０】
前記装置が、前記第２孔４４を介して前記コネクタ４０に嵌め込められていて、前記ねじ１０の外周面に固定され、前記機器７０に接近する一端の外半径が前記第２孔４４の半径より大きい軸カバー２０を更に備えることが好ましい。
【００１１】
前記軸カバー２０の前記機器７０から離れる一端の外半径が前記第２孔４４の半径より大きい程度に延長できることが好ましい。
【００１２】
前記軸カバー２０の内壁にねじ山が設けられていて、前記軸カバー２０がねじ山を介して前記ねじ１０のねじ山のない箇所まで回転して固定されることが好ましい。
【００１３】
前記ねじ１０のねじ山を加工することで、前記軸カバー２０を前記ねじ１０のねじ山のない箇所に固定することが好ましい。
【００１４】
前記軸カバー２０が前記第２孔４４にて前記ねじ１０を覆って前記ねじ１０の外周面に固定され、前記軸カバー２０の前記機器７０に接近する一端の外半径が前記第２孔４４の半径より大きいことが好ましい。
【００１５】
本考案の実施例の他の一態様によると、落込み防止台６０の横断面に対応し、コネクタ４０を機器７０に固定された前記落込み防止台６０に回転可能に嵌め込むための第１孔４２と、ねじ１０を回転可能に嵌め込むための少なくとも一つの第２孔４４と、両端がそれぞれ前記第１孔４２と前記第２孔４４に接続される少なくとも一つの接続部４６と、を備えるコネクタ４０を提供する。
【発明の効果】
【００１６】
本考案の実施例によると、落込み防止装置を用いていて、該装置は、コネクタ４０と落込み防止台６０を備え、コネクタ４０は、落込み防止台６０の横断面に対応し、コネクタ４０を回転可能に落込み防止台６０に嵌め込むための第１孔４２と、ねじ１０を回転可能にコネクタ４０に嵌め込むための少なくとも一つの第２孔４４と、両端がそれぞれ第１孔４２と第２孔４４に接続される少なくとも一つの接続部４６と、を備え、落込み防止台６０は一端が機器７０に固定されていて、コネクタ４０を機器７０に固定し、これにより、関連技術において落込み防止方案の操作が不便で、使用中にねじが落込んでしまう問題を解決し、使用中のねじの操作が簡単であって安全性が高い。
【図面の簡単な説明】
【００１７】
ここで説明する図面は本考案を理解させるためのもので、本考案の一部を構成し、本考案における実施例と共に本考案を解釈し、本考案を不当に限定するのではない。
【図１】図１は、本考案の実施例に係わる好適なコネクタを示す図である。
【図２】図２は、本考案の実施例に係わる好適な落込み防止装置の全体を示す図である。
【図３】図３は、本考案の実施例に係わる好適な組合せねじを示す図である。
【図３ａ】図３ａは、本考案の実施例に係わる好適な組合せねじを示す図２である。
【図４】図４は、本考案の実施例に係わる好適な軸カバーを示す図である。
【図５】図５は、本考案の実施例に係わる好適なコネクタの装着を示す図である。
【図６】図６は、本考案の実施例に係わる好適なコネクタの装着を示す図２である。
【発明を実施するための形態】
【００１８】
以下、図面を参照しつつ実施例を結合して本考案を詳しく説明する。ここで、衝突しない限り、本願の実施例及び実施例中の特徴を互いに組み合わせることができる。
本実施例においてコネクタ４０を提供し、図１は、本考案の実施例に係わる好適なコネクタ４０を示す図で、図２は、本考案の実施例に係わる好適な落込み防止装置の全体を示す図であって、図１と２に示すように、該コネクタ４０は、
落込み防止台６０の横断面に対応し、コネクタ４０を回転可能に落込み防止台６０に嵌め込むための第１孔４２と、ここで、当該落込み防止台６０は機器７０に固定されていて、
ねじ１０を回転可能に嵌め込むための少なくとも一つの第２孔４４と、
両端がそれぞれ第１孔４２と第２孔４４に接続される少なくとも一つの接続部４６と、を備える。当該コネクタ４０が弾性部品であることが好ましい。
【００１９】
本実施例によると、上記部品を備えることによって、第１孔４２を介して機器７０上の落込み防止台６０に嵌め込まれ、コネクタ４０が機器７０に固定され、且つ、コネクタ４０上の少なくとも一つの第２孔４４を介して、ねじ１０がコネクタ４０に嵌め込まれることによって、使用中にねじ１０がコネクタ４０から離脱しにくく、落込み防止機能を実現し、また、コネクタ４０が機器７０に嵌め込まれて固定されるので、使用中にねじ１０がコネクタ４０の振動によってコネクタ４０につられて回転することがなく、ねじ１０の回転及び離脱を防止することができる。関連技術における落込み防止方案の操作が不便で、使用中にねじが落込んでしまう問題を解決し、使用中のねじの操作が簡単であって安全性も高い。
【００２０】
図３は、本考案の実施例に係わる好適な組合せねじを示す図で、図３に示すように、上記ねじ１０は組合せねじであってもよく、当該組合せねじは、単独のねじ１２と、弾性リング３０とを備える。図３ａは、本考案の実施例に係わる好適な組合せねじを示す図２で、組合せねじが単独のねじ１２と、弾性リング３０と、平ワッシャ３１と、を備える点で図３と異なっている。
【００２１】
好適な実施形態として、図１と図２に示すように、上記接続部４６が円弧状に形成されることができる。これにより、ねじ１０がコネクタ４０の平面の垂直方向に沿って移動する場合、接続部４６に印加される垂直方向の力を当該接続部４６の両端に拡散することで、接続部４６が直接に湾曲することを防止し、コネクタ４０の使用寿命を向上できる。
上記第１孔４２が腰状の孔であって、上記第２孔４４も腰状の孔であることが好ましい。
【００２２】
好適な実施形態として、上記各第２孔４４にそれぞれ一つの軸カバー２０を嵌め込むことができる。図４は、本考案の実施例に係わる好適な軸カバー２０を示す図で、図５は、本考案の実施例に係わる好適なコネクタの装着を示す図で、図４、５に示すように、軸カバー２０は第２孔４４を介してコネクタ４０に嵌め込まれ、当該軸カバー２０の機器７０に接近する一端の外半径はねじ孔４４の半径より大きく、当該軸カバー２０はねじ１０に固定されて、ねじ１０がコネクタ４０から離脱することを防止する。上記構造によって、軸カバー４０が第２孔４４に嵌め込まれ、且つ軸カバー２０の機器７０に接近する一端の外半径が第２孔４４の半径より大きいので、軸カバー２０がコネクタから離脱しにくく、軸カバー２０がねじ１０に固定されているので、使用中にねじ１０がコネクタ４０から離脱しにくくなって、落込み防止効果を向上させる。また、軸カバー２０が存在するので、コネクタ４０とねじ１０の表面が離れられて、コネクタ４０とねじ１０が回転中に互いにつられて回転することがなく、コネクタ４０はさまざまな規格のねじ１０の落込み防止機能を実現でき、コネクタ４０を単独にデザインする必要がなく、コネクタ４０の適用範囲を拡大できる。
【００２３】
図４と図５に示すように、軸カバー２０が第２孔４４を介してコネクタ４０に嵌め込まれた場合、軸カバーの機器７０から離れる一端の外半径を第２孔４４の半径より大きい程度まで延長することが好ましい。これにより、ねじ１０が上方へ移動する場合であっても下方へ移動する場合であっても、いずれもコネクタ４０から離脱することがなく、落込み防止効果を一層向上できる。
【００２４】
軸カバー２０のねじ１０での固定を実現するため、本実施例において２種の好適な実施形態を提供する。
形態１：軸カバー２０の内壁にねじ山を設けることで、軸カバー２０をねじ山を介してねじ１０のねじ山のない箇所まで回転させて、位置決めの効果を実現することができる。
形態２：軸カバー２０の内壁にねじ山を設けなく、例えばねじ１０の加工中に先ず、軸カバー２０をねじ１０のねじ山のない部分に覆ってから、ねじ１０にねじ山を加工することで、軸カバー２０をねじ１０のねじ山のない箇所に固定しても、同じく、位置決めの効果を実現できる。
【００２５】
本実施例において落込み防止装置を提供し、図２に示すように、当該落込み防止装置は、上記コネクタ４０と、落込み防止台６０と、を備え、コネクタ４０は、落込み防止台６０の横断面に対応し、コネクタ４０を回転可能に落込み防止台６０に嵌め込むための第１孔４２と、ねじ１０を回転可能にコネクタ４０に嵌め込むための少なくとも一つの第２孔４４と、両端がそれぞれ第１孔４２と第２孔４４に接続される少なくとも一つの接続部４６と、を備え、落込み防止台６０は、一端が機器７０に固定されていて、コネクタ４０を機器７０に固定する。
【００２６】
本実施例によると、上記部品を備えることによって、第１孔４２を介して機器７０上の落込み防止台６０に嵌め込まれ、コネクタ４０を機器７０に固定し、且つ、コネクタ４０上の少なくとも一つの第２孔４４を介して、ねじ１０がコネクタ４０に嵌め込まれることによって、使用中にねじ１０がコネクタ４０から離脱しにくく、落込み防止機能を実現し、また、コネクタ４０が機器７０に嵌め込まれて固定されることで、使用中にねじ１０がコネクタ４０の振動によってコネクタ４０につられて回転することがなく、ねじ１０の回転及び離脱を防止できる。関連技術における落込み防止方案の操作が不便で、使用中にねじが落込んでしまう問題を解決し、使用中にねじの操作が簡単で安全性も高い。また、落込み防止台６０が存在するので、コネクタ４０と機器７０との間に一定の空間が形成され、コネクタ４０が固くしまったり又は締めすぎてしまう状況が発生することがなく、ねじ１０の装着操作を一層簡単化できる。
【００２７】
落込み防止台６０が、締め付けの方式で機器７０に固定されるか、又は機器７０と一体成形されることが好ましい。当該方式が実現やすい。
【００２８】
実施中に、コネクタ４０を落込み防止台６０に嵌め込む形態はさまざまで、例えば、コネクタ４０が弾性部品であるので、落込み防止台６０の機器７０から離れる一端の半径を第１孔４２の半径よりやや大きく設計し、これにより、利用者が力を加えてコネクタ４０を落込み防止台６０に嵌め込んだ後、コネクタ４０が当該開口から離脱しにくく、コネクタ４０を落込み防止台６０に嵌め込む効果を実現できるが、当該形態によると、コネクタ４０の弾性性能の違いによって嵌め込みの操作が不便である場合もある。本実施例において、他の好適な実施形態も提供し、図２に示すように、落込み防止台６０は柱状に形成され、コネクタ４０を落込み防止台６０に嵌め込んだ後、固定部品５０を当該落込み防止台６０の機器７０から離れる一端に固定し、固定部品５０に環状凸部が設けられていて、当該凸部の半径が第１孔４２の半径より大きいので、固定部品５０を固定させた後であっても、コネクタ４０を落込み防止台６０に嵌め込むことができ、且つ、当該嵌め込み形態によると、コネクタ４０の弾性性能の違いによってコネクタ４０を落込み防止台６０に嵌め込みできないことはなく、本方案の適用範囲を拡大できる。ここで、当該固定部品５０はねじ、リベット等であることができる。
【００２９】
以下、好適な実施例を結合して説明し、以下の好適な実施例は上記実施例及びその好適な実施形態を結合したものである。
実施例１
本好適な実施例によるとねじの落込み防止方案を提供し、例えば、高空で部品を装着する際のねじの落込みを防止し、他の分野での応用にまで拡張できることは言うまでもない。
当該ねじ落込み防止方案によると、軸カバーによる接続によって、コネクタとねじとの配合箇所がねじを締め付ける際に回転することを解決し、コネクタを直接に機器に設けられた落込み防止台に嵌め込むことによって、高空で部品を装着する際にねじが落込んでしまう問題を解決できる。同時に、当該方案によると、装着中の簡単性及び信頼性を向上させる。
【００３０】
当該ねじ落込み防止方案は、組合せねじ１０（単独のねじ１２と弾性リング３０を含み）と、軸カバー２０と、コネクタ４０と、固定部品５０と、を備える。ここで、弾性リング３０がねじ１２に装着されて組合せねじ１０を構成し、軸カバー２０は組合せねじ１０に装着されてコネクタ４０の一端に取付けられ、コネクタ４０の他端は機器７０の落込み防止台６０に直接に嵌め込まれていて、固定部品５０は機器７０上の落込み防止台６０に固定され、これにより、組合せねじ１０の落込み防止機能を実現できる。軸カバー２０により組合せねじ１０とコネクタ４０を接続する方式によって、組合せねじ１０を締め付ける際にコネクタ４０が回転してしまうことを防止できる。
【００３１】
コネクタ４０は弾性部品（例えば、プラスチック部品）であることができ、その一端の第２孔は軸カバー２０のフランジの位置をカバーして、軸カバー２０のフランジ部を拡張してコネクタ４０の離脱を防止する。コネクタ４０に複数の軸カバー２０の第２孔４４を設けることで、異なる数量のねじの落込み防止方案を実現することができる。
【００３２】
コネクタ４０と軸カバー２０第２孔４４の孔径及び固定部品５０の第１孔４２の孔径を需要に応じて拡大する又は腰状の孔に設けることで、コネクタ４０を落込み防止台に嵌め込んだ後、組合せねじ１０の移動可能な空間を拡大し、順調な装着操作を保証できる。
【００３３】
コネクタ４０に第２孔同士を接続する部分（即ち、上記接続部４６）を円弧状に形成することができ、これにより、固定部品５０と組合せねじ１０を装着した後、コネクタ４０が直接に湾曲してしまうことを有効に防止できる。
【００３４】
軸カバー２０の組合せねじ１０と配合される内壁にねじ山が設けられることができ、ねじ山のサイズは組合せねじ１０のねじ山の規格と同じで、取り付ける際に、組合せねじ１０のねじ山部分を越えてねじ山のない部分まで回転させて、軸カバーの離脱を防止することができる。軸カバー２０の組合せねじ１０と配合される内壁にねじ山を設けないこともでき、例えば、組合せねじ１０のねじ山を加工する前に、軸カバー２０と組合せねじ１０とを取り付けてから、組合せねじ１０のねじ山を加工することで、軸カバー２０の離脱を防止することもできる。
【００３５】
固定部品５０は、コネクタ４０の一端を機器の落込み防止台６０に固定し、固定部品５０はねじ、リベット等のさまざまなものであることができる。
【００３６】
ねじ落込み防止方案によると、装着及び維持が簡単で、構造が簡単で、操作が容易で、生産に便利であって、コストが低く、汎用性が高い改善及び効果を実現できる。
【００３７】
実施例２
図２に示すように、軸カバー２０はねじ山又は他の形態を介して組合せねじ１０との取り付けを実現し、取り付けられた後の軸カバー２０の非離脱を保証できる。コネクタ４０の他端の第１孔４２が機器に設けられた落込み防止台６０を覆い、そして、固定部品５０が落込み防止台６０に固定されてコネクタ４０の当該端末からの離脱を防止し、これにより、分解する際の組合せねじ１０の離脱防止を実現できる。
【００３８】
図３に示すように、ねじ１２と弾性リング３０により組合せねじ１０を形成し、ねじ１２に一定区間のねじ山のない部分が設けられていて、弾性リング３０がねじ山のない部分に取り付けられる。又は、図３ａに示すように、ねじ１２と弾性リング３０と平ワッシャ３１とにより組合せねじ１０を形成し、ねじ１２に一定区間のねじ山のない部分が設けられていて、弾性リング３０と平ワッシャ３１がねじ山のない部分に取り付けられることもできる。
【００３９】
図５に示すように、コネクタ４０の一端の第２孔４４を軸カバー２０のフランジの位置を覆ってから、軸カバー２０のフランジ部を拡張して、コネクタ４０の離脱を防止することができる。一つのコネクタ４０に複数の軸カバー２０に配合される孔を設けることで、複数のねじ落込み防止需要を満たすことができる。
【００４０】
図４に示すように、軸カバー２０をフランジ付きの構造に形成することができ、組合せねじ１０との配合形式に基づいて、軸カバー２０の中央の孔をねじ山付きの構造に形成することができ、ねじ山のない構造に形成することもできる。
【００４１】
図１に示すように、コネクタ４０の軸カバー２０の第２孔４４の孔径及び固定部品５０の第１孔４２の孔径を、需要に応じて拡大するか又は腰状の孔に形成することができ、これにより、落込み防止台６０に嵌め込んだ後、組合せねじ１０が一層広い移動空間を有することになる。コネクタ４０上の第２孔間の部分を円弧状に形成して、組合せねじ１０を装着した後にコネクタ４０が直接に湾曲することを防止することができる。そして、コネクタ４０の材料も他の弾性材料に変更できる。
【００４２】
実施例３
図４に示すように、軸カバー２０をフランジを有しない構造に形成することもでき、組合せねじ１０との配合形式に応じて、軸カバー２０の中央の孔をねじ山付きの構造に形成することができれば、ねじ山のない構造に形成することもできる。
【００４３】
図３に示すように、ねじ１２と弾性リング３０によって組合せねじ１０を形成し、ねじ１２に一定区間のねじ山のない部分が設けられていて、弾性リング３０がねじ山のない部分に取り付けられる。又は、図３ａに示すように、ねじ１２と弾性リング３０と平ワッシャ３１とによって組合せねじ１０を形成し、ねじ１２に一定区間のねじ山のない部分が形成されていて、弾性リング３０と平ワッシャ３１がねじ山のない部分に取り付けられることもできる。
【００４４】
図６は、本考案の実施例に係わる好適なコネクタの装着を示す図２で、図６、図２に示すように、コネクタ４０の一端の第２孔４４が組合せねじ１０のねじ山のない部分を覆っていて、そして、軸カバー２０をねじ山又は他の形態で組合せねじ１０に取り付けて、軸カバー２０の離脱を防止する。そして、コネクタ４０の他端の第１孔４２が機器に設けられた落込み防止台６０を覆って、固定部品５０を落込み防止台６０に固定してコネクタ４０の当該端部からの離脱を防止し、分解する際の組合せねじ１０の離脱防止効果を実現できる。
【００４５】
以上は、本考案の好適な実施例に過ぎず、本考案を限定するものではない。当業者であれば本考案に様々な修正や変形が可能である。本考案の精神や原則内での如何なる修正、置換、改良などは本考案の保護範囲内に含まれる。
【図１】
0006281880.tif 000002
【図２】
0006281880.tif 000003
【図３】
0006281880.tif 000004
【図３ａ】
0006281880.tif 000005
【図４】
0006281880.tif 000006
【図５】
0006281880.tif 000007
【図６】
0006281880.tif 000008